(57)【特許請求の範囲】
【請求項１】
予め定めた第１の時刻に本体を起動し、第２の時刻に本体を停止する起動制御手段と、
前記第１の時刻と前記第２の時刻との間に設定した取扱時間帯に、利用者の入力操作に応じた入出金取引を処理する取引処理手段と、
前記取引処理手段が処理する紙幣の投入をともなう取引、および紙幣の放出をともなう取引にかかる紙幣を紙幣搬送路に沿って搬送する紙幣搬送手段と、を備えた自動取引処理装置において、
前記取扱時間帯内に定めた精査処理開始タイミングで、紙幣の投入をともなう取引を停止し、且つ紙幣の放出をともなう取引を停止することなく、金種毎に、本体に収納している紙幣の枚数を計数する計数処理を開始する計数手段と、
前記計数手段が計数した紙幣の中から、前記取引手段が紙幣の放出をともなう取引で放出した紙幣の合計枚数を補正枚数として記憶する記憶手段と、
前記計数手段が各金種の紙幣の枚数の計数を完了し、且つ、前記取扱時間帯の終了時刻以降であれば、金種毎に、前記計数手段が計数した紙幣の枚数から、前記記憶手段が記憶している補正枚数を減算した枚数を、本体に収納している紙幣の枚数として確定する枚数確定手段と、を備えた自動取引処理装置。
【請求項２】
前記計数手段は、各金種について、前記紙幣搬送手段により、その金種の金種別カートリッジに収納されている紙幣を運用カートリッジに搬送しているとき、または、この運用カートリッジに搬送した紙幣を当該金種別カートリッジに搬送して戻しているときに、枚数を計数する、請求項１に記載の自動取引処理装置。
【請求項３】
前記計数手段は、継続している紙幣の放出をともなう取引に使用する金種の紙幣については、前記紙幣搬送手段により、その金種の金種別カートリッジに収納されている紙幣の一部を一時保留部に搬送した後、この金種別カートリッジに収納されている残りの紙幣を運用カートリッジに搬送しているとき、または、この運用カートリッジに搬送した紙幣を当該金種別カートリッジに搬送して戻しているときに第１の枚数を計数し、その後、前記一時保留部に搬送した紙幣を当該金種別カートリッジに搬送して戻しているときに第２の枚数を計数し、前記第１の枚数と、前記第２の枚数とを加算した枚数を、その金種の枚数とする、請求項２に記載の自動取引処理装置。
【請求項４】
前記計数手段は、前記計数処理の実行中に、前記取引処理手段が紙幣の放出をともなう取引を処理するとき、実行中の計数処理を一時中断し、この紙幣の放出をともなう取引が終了するのを待って、再開する請求項１〜３のいずれかに記載の自動取引処理装置。
【請求項５】
前記取引処理手段は、紙幣の放出をともなう取引を前記精査処理開始タイミング以降に処理するときには、放出する紙幣として、この時点で計数していない紙幣を優先的に使用する、請求項１〜４のいずれかに記載の自動取引処理装置。
【発明の詳細な説明】
【技術分野】
【０００１】
この発明は、利用者の入力操作に応じて入出金取引を処理する自動取引処理装置に関する。
【背景技術】
【０００２】
従来、銀行等の金融機関に開設されている口座に対して入出金取引が行える現金自動預け払い機（以下、ＡＴＭと言う。）は、本体に収納している現金の有高を確認し、その結果をセンタに通知する精査処理を実行する機能を有している。精査処理には、本体に収納されている紙幣や硬貨の枚数を金種毎に計数する計数処理と、この計数処理の結果をセンタに通知する通知処理と、が含まれている。精査処理は、適当な間隔（例えば１週間間隔、２週間間隔、１カ月間隔）で実行している。
【０００３】
この精査処理は、取引の取り扱いを停止して実行する。この精査処理は、３０分程度の時間を要し、その殆どが各金種の紙幣の枚数を計数する計数処理に要する時間である。取扱時間帯（通常、午前８時〜午後９時）に、ＡＴＭにおける取引の取り扱いを停止すると、利用者に対するサービスを低下させる。このことから、精査処理は、取扱時間帯でない深夜や早朝に実行するのが望ましい。
【０００４】
また、ＡＴＭにおける現金補充（入金紙幣収納箱から出金紙幣収納箱への還流動作）については、当該ＡＴＭの取り扱いを停止することなく実行する提案がなされている（特許文献１参照）。具体的には、ＡＴＭにおいて、入出金取引の終了を検出すると還流動作を開始し、新たな入出金取引にかかる紙幣計数動作開始時に、この還流動作を一時中断する構成である。
【先行技術文献】
【特許文献】
【０００５】
【特許文献１】特開昭６０−１２２４９２号公報
【発明の概要】
【発明が解決しようとする課題】
【０００６】
しかしながら、最近では、利用者の利便性の向上を図る目的で、ＡＴＭを金融機関の店舗外のブース（以下、店外ブースと言う。）にも設置している。店外ブースに設置したＡＴＭは、通常無人対応で運用している。店外ブースにおける、ＡＴＭに対する電源供給開始、電源供給停止、店外ブース内の照明の点灯／消灯、店外ブースの入口の施錠／開錠等のセキュリティ管理は、金融機関や、この金融機関から委託された警備会社等によって行われる。また、ＡＴＭは、本体の起動開始時刻、取扱開始時刻、取扱終了時刻、起動停止時刻等を含むスケジュールデータを記憶し、このスケジュールデータに基づいて、本体の状態を管理する。
【０００７】
なお、ＡＴＭに対する電源供給開始は、ＡＴＭの起動開始時刻よりも早くしなければならない。また、ＡＴＭに対する電源供給停止は、ＡＴＭの起動停止時刻よりも遅くしなければならない。
【０００８】
通常、店外ブースの管理や、ＡＴＭのスケジュールデータは、精査処理を実行しない日に合わせている。このため、精査処理を取扱時間帯でない深夜や早朝に実行させるには、実行日における、ＡＴＭに対する電源供給開始時刻や、本体の起動開始時刻を早めたり、ＡＴＭに対する電源供給停止時刻や、本体の起動停止時刻を遅くしなければならない。すなわち、店外ブースの管理にかかるデータや、ＡＴＭのスケジュールデータを、精査処理の実行日前日の深夜等に変更し、精査処理の実行日の深夜に戻す作業が必要になり、手間がかかる。
【０００９】
なお、店外ブースの管理や、ＡＴＭのスケジュールデータを、精査処理を実行する日に合わせておけば、上述の手間がかかることはないが、ＡＴＭが起動している時間が無駄に長くなり、無駄な電力消費により、運用コストが嵩むという問題がある。
【００１０】
したがって、店外ブースに設置したＡＴＭについては、係員が精査処理の実行日に店外ブースに出向き、取扱時間帯の終了を待たずに、手動操作にてＡＴＭの取り扱いを停止させ、精査処理を開始させている。このため、精査処理の実行日は、ＡＴＭの取り扱いが停止される時間が早くなり、利用者に対するサービスの低下をまねいていた。
【００１１】
この発明の目的は、利用者に対するサービスの低下を抑えるとともに、人手をかけることなく、本体に収納している現金の有高を確認する精査処理が行える自動取引処理装置を提供することにある。
【課題を解決するための手段】
【００１２】
この発明の自動取引処理装置は、上記課題を解決し、その目的を達するために、以下のように構成している。
【００１３】
この自動取引処理装置は、利用者の入力操作に応じた紙幣の投入をともなう取引、および紙幣の放出をともなう取引（入出金取引等）処理する現金自動預け払い機（以下、ＡＴＭと言う。）等の装置である。起動制御手段は、本体に対する電源供給開始後の第１の時刻に本体を起動し、本体に対する電源供給停止前の第２の時刻に本体を停止する。自動取引処理装置に対する電源供給の開始／停止は、他の装置によるブレーカのオン／オフ等によって行われる。また、自動取引処理装置は、利用者の入力操作に応じた取引を、第１の時刻と第２の時刻との間に設定した取扱時間帯（取扱開始時刻〜取扱終了時刻までの時間帯）に処理する。紙幣搬送手段は、取引処理手段が処理する取引にかかる紙幣を紙幣搬送路に沿って搬送する。紙幣搬送路は、入出金部、一時保留部、金種別カートリッジ、および運用カートリッジを結んでいる。
【００１４】
また、計数手段は、取扱時間帯内に定めた精査処理開始タイミングで、紙幣の投入をともなう取引を停止し、且つ紙幣の放出をともなう取引を停止することなく、金種毎に本体に収納している紙幣の枚数を計数する計数処理を開始する。したがって、利用者は、この計数処理が行われている間も、取扱時間帯であれば、紙幣の放出をともなう取引が行える。
【００１５】
また、記憶手段は、計数手段が計数した紙幣の中から、取引手段が紙幣の放出をともなう取引で放出した紙幣の合計枚数を補正枚数として記憶する。ここで言う、計数手段が計数した紙幣とは、上述の計数処理が完了した金種の紙幣という意味ではなく、計数処理の途中であっても、その金種について１枚と計数した紙幣も含んでいる。枚数確定手段は、計数手段が各金種の紙幣の枚数の計数を完了し、且つ、取扱時間帯の終了時刻以降であれば、金種毎に、計数手段が計数した紙幣の枚数から、記憶手段が記憶している補正枚数を減算した枚数を、本体に収納している紙幣の枚数として確定する。
【００１６】
このように、この自動取引処理装置は、精査処理にかかる、各金種の紙幣の枚数を計数する計数処理を取扱時間帯に開始し、取扱終了時刻を過ぎたときに、各金種の紙幣の枚数を演算処理によって確定する。すなわち、精査処理において、比較的長い時間を要する各金種の紙幣の枚数を計数する計数処理が、紙幣の放出をともなう取引を停止することなく、取扱時間帯に行える。したがって、本体に対する電源供給が停止されるまでに、精査処理を完了することができ、利用者に対するサービスの低下が抑えられるとともに、精査処理にかかる手間も抑えられる。
【００１７】
なお、計数手段は、取引処理手段が紙幣の放出をともなう取引を処理するとき、実行中の計数処理を一時中断し、この出金取引が終了するのを待って、再開する構成とすればよい。
【発明の効果】
【００１８】
この発明によれば、利用者に対するサービスの低下が抑えられるとともに、精査処理にかかる手間も抑えられる。
【図面の簡単な説明】
【００１９】
【図１】この実施形態のＡＴＭを適用したシステムの概略図である。
【図２】このＡＴＭの主要部の構成を示す図である。
【図３】このＡＴＭの内部に形成されている紙幣搬送路を示す概略図である。
【図４】精査処理を実行しない日における、ＡＴＭのタイムテーブルを示す図である。
【図５】精査処理を実行する日における、ＡＴＭのタイムテーブルを示す図である。
【図６】ＡＴＭの動作を示すフローチャートである。
【図７】精査処理を示すフローチャートである。
【図８】計数枚数、補正枚数を記憶する記憶エリアを説明する図である。
【図９】計数処理を示すフローチャートである。
【図１０】割り込み処理を示すフローチャートである。
【図１１】割り込み処理を示すフローチャートである。
【発明を実施するための形態】
【００２０】
以下、この発明の実施形態である現金自動預け払い機（以下、ＡＴＭと言う。）について、詳細に説明する。
【００２１】
図１は、この実施形態のＡＴＭを適用したシステムの概略図である。ＡＴＭ１は、利用者の入力操作に応じて入金取引や、出金取引等の各種取引を処理する。ＡＴＭ１は、金融機関の店舗外のブース（以下、店外ブースと言う。）に設置している。ＡＴＭ１は、ネットワークを介して、金融機関のセンタに設置されているホスト装置２に接続している。ホスト装置２は、開設されている口座毎に、その口座にかかる口座情報を記憶し、管理する。口座情報には、口座番号、口座名義人名、取引履歴、口座残高等を含む口座情報等が含まれている。ＡＴＭ１は、取引を処理する毎に、その取引の内容を示す取引情報をホスト装置２に通知する。ホスト装置２は、ＡＴＭ１から通知された取引情報を、該当する口座の取引履歴として蓄積的に記憶する。また、ＡＴＭ１は、自機で処理した取引毎に、その取引内容を記憶する。
【００２２】
また、管理装置３は、店外ブースに設置しているＡＴＭ１に対する電源供給開始、電源供給停止、店外ブース内の照明の点灯／消灯、店外ブースの入口の施錠／開錠等のセキュリティ管理を行う。管理装置３は、ＡＴＭ１に対する電源供給開始、電源供給停止、店外ブース内の照明の点灯／消灯、店外ブースの入口の施錠／開錠等を行う時刻が設定されている。この管理装置３は、ブレーカ４をオンすることにより、ＡＴＭ１に対する電源供給を開始し、ブレーカ４をオフすることにより、ＡＴＭ１に対する電源供給を停止する。
【００２３】
図２は、この実施形態のＡＴＭの主要部の構成を示す図である。ＡＴＭ１は、主制御部１０と、表示・操作部１１と、紙幣処理部１２と、硬貨処理部１３と、カード・明細書処理部１４と、通帳処理部１５と、生体情報読取部１６と、音声案内部１７と、通信部１８と、顧客検知部１９と、を備えている。主制御部１０は、ＡＴＭ１本体各部の動作を制御する。また、主制御部１０は、本体の起動開始時刻、取扱開始時刻、取扱終了時刻、起動停止時刻、次回の精査処理開始タイミング等を含むスケジュールデータを図示していないメモリに記憶している。主制御部１０は、バッテリでバックアップされている。
【００２４】
表示・操作部１１は、本体正面に設けた表示器、およびこの表示器の画面上に貼付したタッチパネルを有している。表示・操作部１１は、利用者に対する操作案内画面を表示器に表示する。また、表示・操作部１１は、タッチパネルの押下位置を検知することにより、暗証番号や取引内容（取引種別、入出金金額等）にかかる利用者の入力操作を受け付ける。
【００２５】
紙幣処理部１２は、図３に示すように、本体正面に設けた紙幣入出金部２１、本体内部の一時保留部２２、本体内部に収納されている複数のカートリッジ２３〜２８を相互に結ぶ紙幣搬送路３０に沿って紙幣を搬送する（この発明で言う、紙幣搬送手段を含んでいる。）。紙幣入出金部２１には、シャッタ２１ａが設けられている。カートリッジ２３〜２６が、金種別カートリッジである。金種別カートリッジ２３、２４は、１万円紙幣を収納する。金種別カートリッジ２５は、千円紙幣を収納する。金種別カートリッジ２６は、２千円紙幣、および５千円紙幣の２金種について紙幣を収納する。
【００２６】
ＡＴＭ１は、入金取引において、利用者が紙幣入出金部２１に投入した２千円紙幣、および５千円紙幣を金種別カートリッジ２６に収納する。ＡＴＭ１は、金種別カートリッジ２６に収納している２千円紙幣、および５千円紙幣を出金紙幣として使用しない。ＡＴＭ１は、金種別カートリッジ２３、２４に収納している１万円紙幣、および金種別カートリッジ２５に収納している１千円紙幣を出金紙幣として使用する。このため、２千円紙幣、および５千円紙幣の２金種の紙幣を金種別カートリッジ２６に収納しても問題はない。２千円紙幣、および５千円紙幣を出金紙幣として使用する場合には、これらの紙幣についても、個別に金種別カートリッジを設ければよい。
【００２７】
カートリッジ２７は、回収カートリッジである。カートリッジ２８は、カートリッジ２３〜２５に補充する紙幣（１万円紙幣、および１千円紙幣）を収納する運用カートリッジである。回収カートリッジ２７は、紙幣の収納領域が３つに分かれている。具体的には、運用カートリッジ２８に収納している紙幣を、金種別カートリッジ２３〜２５に補充するときに検出したリジェクト紙幣を収納する領域、入出金取引において検出したリジェクト紙幣を収納する領域、および利用者が取り忘れた紙幣を収納する領域に分かれている。
【００２８】
なお、ＡＴＭ１は、入金取引において、入金金額を確定する前に検出したリジェクト紙幣については、紙幣入出金部２１に戻し、利用者に返却する。
【００２９】
また、紙幣処理部１２は、紙幣搬送路３０に沿って搬送している紙幣毎に、金種、および真偽を識別する紙幣識別部３１も有している。紙幣識別部３１は、紙幣から読み取った磁気パターンや、反射光パターン等に基づいて真偽および金種を識別する。
【００３０】
硬貨処理部１３は、本体正面に設けた硬貨入出金口と、本体内部に収納されている硬貨カートリッジと、の間に形成された硬貨搬送路に沿って硬貨を搬送する。また、硬貨処理部１３は、硬貨搬送路に沿って搬送している硬貨毎に、金種、および真偽を識別する硬貨識別部を有している。
【００３１】
カード・明細書処理部１４は、本体正面に設けたカード挿入口に挿入されたキャッシュカード（以下、単にカードと言う。）を取り込み、このカードの磁気ストライプに記録されているカード情報（金融機関番号、店舗番号、口座番号等）の読み取りや、カード情報の書き換え等を行う。また、挿入されたカードがＩＣカードである場合には、必要に応じて、そのカードのＩＣチップに記録されているデータの読み取りや、書き換えも行う。ＩＣチップには、このカードの所有者である利用者の生体情報（登録情報）等が記録されている。さらに、カード・明細書処理部１４は、取引内容を明細書に印字する印字部（不図示）を有する。カード・明細書処理部１４は、取引内容を印字した明細書を本体正面に設けた明細書放出口に放出する。
【００３２】
通帳処理部１５は、本体正面に設けた通帳挿入口に挿入された通帳を取り込み、この通帳に対して取引履歴を印字する印字部（不図示）を有している。また、通帳処理部１５は、取り込んだ通帳のページを捲るページ捲り機構や、通帳に印刷されているページ番号を示すバーコードを読み取るバーコードリーダ、通帳に貼付されている磁気ストライプに記録されている通帳情報（金融機関番号、店舗番号、口座番号等）を読み取る磁気ヘッド等も有している。
【００３３】
また、生体情報読取部１６は、本体正面に設けた生体情報読取センサを有している。この生体情報読取センサは、利用者の指静脈パターンを読み取る。ここでは、生体情報読取センサとして、指静脈パターンを読み取るセンサを例にしているが、掌静脈、虹彩、網膜等の他の種類の生体情報を読み取るセンサであってもよい。生体情報読取部１６は、生体情報読取センサで読み取った利用者の生体情報（読取情報）と、カードのＩＣチップに記録されている生体情報（登録情報）と、を照合し、その類似度から利用者とカードの所有者とが同一人物であるかどうかを認証する。
【００３４】
音声案内部１７は、利用者に対して音声によるガイダンスを行う。通信部１８は、金融機関のセンタに設置されているホスト装置２との間における通信を制御する。顧客検知部１９は、本体正面を検知エリアとする近接センサを有し、この近接センサによって、装置本体正面に位置する利用者の有無を検知する。
【００３５】
ＡＴＭ１は、主制御部１０のメモリに記憶している起動開始時刻になると、本体の起動処理を開始する。ＡＴＭ１は、主制御部１０のメモリに記憶している取扱開始時刻になると、取引にかかる利用者の取扱を開始する。ＡＴＭ１は、主制御部１０のメモリに記憶している取扱終了時刻になると、取引にかかる利用者の取扱を終了する。ＡＴＭ１は、主制御部１０のメモリに記憶している起動停止時刻になると、本体の停止処理を開始する。また、ＡＴＭ１は、主制御部１０のメモリに記憶している精査処理開始タイミングになると、後述する精査処理を開始する。
【００３６】
起動開始時刻が、この発明で言う第１の時間に相当する。停止開始時刻が、この発明で言う第２の時間に相当する。また、取扱開始時刻から取扱終了時刻までの時間帯が、この発明で言う取扱時間帯である。また、精査処理開始タイミングについては、ホスト装置２が適当なタイミングでＡＴＭ１に通知する。ＡＴＭ１は、このホスト装置２から通知された日時を、次回の精査処理開始タイミングとしてメモリに更新記憶する。ホスト装置２が次回の精査処理開始タイミングを通知するタイミングは、当該精査処理開始タイミングよりも前のタイミングであればよい。
【００３７】
また、管理装置３は、ブレーカ４をオン／オフする時刻を記憶している。ブレーカ４をオンする時刻は、ＡＴＭ１の起動開始時刻よりも早い時刻である。また、ブレーカ４をオフする時刻は、停止開始時刻よりも遅い時刻であり、且つＡＴＭ１が停止処理に要する時間を考慮して設定している。具体的には、ＡＴＭ１が停止開始時刻に開始した停止処理の完了後に、ブレーカ４をオフするように設定している（ＡＴＭ１が停止処理を実行しているときに、ブレーカ４をオフしないように設定している。）。
【００３８】
図４は、精査処理を実行しない日における、ＡＴＭのタイムテーブルを示す例である。この例では、管理装置３は、午前７時にブレーカ４をオンし、午後９時１５分にブレーカ４をオフする。
【００３９】
また、ＡＴＭ１は、午前７時３０分に起動処理を開始する。すなわち、ＡＴＭ１は、午前７時３０分を上述した起動開始時刻として記憶している。この起動処理では、ＡＴＭ１本体各部の立上や、ホスト装置２との通信路の確立等を行う。また、ＡＴＭ１は、午前８時になると、利用者に対する取引の取扱を開始し、午後９時００分になると利用者に対する取引の取扱を終了する。すなわち、ＡＴＭ１は、午前８時００分を上述した取扱開始時刻として記憶し、午後９時００分を上述した取扱終了時刻として記憶している。午前８時００分〜午後９時００分までが、この発明で言う取扱時間帯であり、利用者の入力操作に応じて、入金取引や出金取引等の各種取引を処理する。
【００４０】
なお、一部の種類の取引（例えば、振込取引や、両替取引）については、取扱時間帯体の途中で、取扱を停止する設定も行える。
【００４１】
また、ＡＴＭ１は、午後９時１０分になると、停止処理を開始する。すなわち、ＡＴＭ１は、午後９時１０分を上述した停止開始時刻として記憶している。この停止処理では、ＡＴＭ１本体各部の立下や、ホスト装置２との通信路の切断等を行う。この停止処理に要する時間は、数分（１〜２分）である。
【００４２】
管理装置３は、午後９時１５分になると、ブレーカ４をオフし、ＡＴＭ１本体に対する電源供給を停止する。
【００４３】
このように、管理装置３は、ＡＴＭ１の取扱停止から、１５分後にブレーカ４をオフし、ＡＴＭ１に対する電源供給を停止する。この１５分の間に、ＡＴＭ１が、金種毎に、内部に収納している紙幣の枚数を計数し、その結果をホスト装置２に通知する精査処理を実行することは、時間的に無理がある。通常、ＡＴＭ１が、金種毎に内部に収納している紙幣の枚数を計数するのに、３０分程度の時間を要する。
【００４４】
このＡＴＭ１は、精査処理を実行する日については、図５に示すタイムテーブルで動作する。ＡＴＭ１における、起動開始時刻、取扱開始時刻、取扱終了時刻、および起動停止時刻は、精査処理を実行する日であるかどうかにかかわらず、同じである。また、管理装置３における、電源供給開始時刻や、電源供給停止時刻等も、精査処理を実行する日であるかどうかにかかわらず、同じである。精査処理を実行しない日と異なる点は、主制御部１０のメモリに記憶している精査処理開始タイミングになったタイミングで、精査処理を開始する点である。図５に示す例は、午後８時３０分に精査処理を開始する例を示している。
【００４５】
なお、精査処理開始タイミングは、後述する計数処理で、ＡＴＭ１が金種毎に収納している紙幣の枚数を計数する計数処理に要する時間を考慮し、この計数処理が取扱終了時刻付近で完了する時刻とするのが好ましい。
【００４６】
次に、このＡＴＭ１の動作について説明する。図６は、ＡＴＭの動作を示すフローチャートである。ＡＴＭ１は、起動開始時刻になるのを待って、起動処理を開始する（ｓ１、ｓ２）。上述したように、起動開始時刻になる前に、管理装置３がブレーカ４をオンし、ＡＴＭ１に対する電源供給を開始している。
【００４７】
ＡＴＭ１は、起動処理が完了すると、取扱開始時刻になるのを待つ（ｓ３）。ＡＴＭ１は、取扱開始時刻になると、取引の取扱を開始する（ｓ４）。管理装置３は、取扱開始時刻の数分前に、ＡＴＭ１が設置されている店外ブースの照明の点灯や、入口の開錠を行う。
【００４８】
ＡＴＭ１は、利用者による取引の要求があるか（ｓ５）、記憶している精査処理開始タイミングになるか（ｓ７）、取扱終了時刻になるのを待つ（ｓ９）。ＡＴＭ１は、利用者による取引の要求があると、要求された取引を処理する（ｓ６）。ｓ６では、入金取引、出金取引、振込取引、振替取引、通帳記入取引、残高照会取引等の各種の取引処理を処理する。ここでの取引処理については、公知の装置と同じであるので、詳細な説明を省略する。
【００４９】
ただし、ｓ６で処理する取引は、その時点で取扱を停止していない種別の取引であり、その時点で取扱を停止している種別の取引については、ＡＴＭ１が要求自体を受け付けない。
【００５０】
また、ＡＴＭ１は、精査処理開始タイミングになると、精査処理を開始する（ｓ８）。この精査処理の詳細については、後述する。
【００５１】
また、ＡＴＭ１は、取扱終了時刻になると、本体における取引の取扱を停止する（ｓ１０）。そして、ＡＴＭ１は、停止開始時刻になるのを待って（ｓ１１）、停止処理を開始する（ｓ１２）。管理装置３は、ＡＴＭ１が停止処理を完了した後に、ブレーカ４をオフし、ＡＴＭ１に対する電源供給を停止する。また、管理装置３は、ＡＴＭ１が設置されている店外ブースの照明の消灯や、入口の施錠を行う。
【００５２】
精査処理を実行しない日は、精査処理開始タイミングになることはないので、ｓ８にかかる精査処理を行わない。言い換えれば、精査処理を実行する日は、精査処理開始タイミングになった時点で、ｓ８にかかる精査処理を開始する。
【００５３】
図７は、この精査処理を示すフローチャートである。ＡＴＭ１は、この精査処理を開始すると、利用者による取引の要求の有無を常時監視しており、取引の要求があると、割り込み処理により、その取引を処理する。
【００５４】
まず、ＡＴＭ１は、この時点で、利用者による紙幣の投入がともなう種別の取引（入金取引や、振込取引等）が取扱中であれば、その種別の取引の取扱を停止する（ｓ２１）。ｓ２１では、紙幣の放出をともなう取引（出金取引）や、紙幣の投入、および放出をともなわない取引（残高照会取引等）については、取扱を停止しない。
【００５５】
ＡＴＭ１は、運用カートリッジ２８が空であるかどうかを判定する（ｓ２２）。ＡＴＭ１は、運用カートリッジ２８が空でなければ、この運用カートリッジ２８に収納されている紙幣を、１枚ずつ繰り出し、紙幣識別部３１で金種、真偽の識別を行い、該当する金種別カートリッジ２３〜２６や、回収カートリッジ２７に搬送し、収納する（ｓ２３）。すなわち、ＡＴＭ１は、運用カートリッジ２８を空にする。
【００５６】
主制御部１０のメモリは、金種別に、この精査処理で計数した紙幣の枚数（計数枚数）、計数後に放出した紙幣の枚数（補正枚数）、および確定枚数を記憶する精査枚数記憶エリアと、回収カートリッジ２７に収納しているリジェクト紙幣について、推定した金種で枚数を記憶する回収枚数記憶エリアと、を有している（図８参照照）。ＡＴＭ１は、図８に示す精査枚数記憶エリアをクリアする（ｓ２４）。
【００５７】
なお、ＡＴＭ１は、回収カートリッジ２７に紙幣を収納する毎に、回収枚数記憶エリアにおいて、推定した金種の紙幣の枚数を１カウントアップしている。また、係員は、回収カートリッジ２７に収納されている紙幣を回収したときに、この回収枚数記憶エリアをクリアする。
【００５８】
ＡＴＭ１は、金種別カートリッジ２３、２４に収納している１万円紙幣の枚数を計数する計数処理を行う（ｓ２５）。ＡＴＭ１は、金種別カートリッジ２５に収納している１千円紙幣の枚数を計数する計数処理を行う（ｓ２６）。さらに、ＡＴＭ１は、金種別カートリッジ２６に収納している２千円紙幣、および５千円紙幣について、金種別に枚数を計数する計数処理を行う（ｓ２７）。ｓ２５〜ｓ２７にかかる計数処理の順番は、どのような順番であってもよい。
【００５９】
ここでｓ２５、ｓ２６、ｓ２７にかかる計数処理について説明する。図９は、この計数処理を示すフローチャートである。ＡＴＭ１は、計数する対象の紙幣が、出金取引で使用する金種であるかどうかを判定する（ｓ４１）。ＡＴＭ１は、ｓ４１で出金取引で使用する金種（ここでは、１万円紙幣、および１千円紙幣）であると判定すると、その金種の紙幣を収納している金種別カートリッジ２３〜２５から、適当な枚数（例えば、１００枚）の紙幣を一時保留部２２に搬送し、収納する（ｓ４２）。このとき、一時保留部２２に搬送する紙幣は、紙幣識別部３１で金種や真偽を識別し、識別できた紙幣のみを一時保留部２２に収納する。ＡＴＭ１は、識別できなかった紙幣については、回収カートリッジ２７に搬送し、収納する。
【００６０】
ＡＴＭ１は、当該金種の残りの紙幣を金種別カートリッジ２３〜２５から繰り出し、運用カートリッジ２８に搬送し収納する（ｓ４３）。運用カートリッジ２８に搬送する紙幣も、紙幣識別部３１で金種や真偽を識別し、識別できた紙幣のみを運用カートリッジ２８に収納し、識別できなかった紙幣については、回収カートリッジ２７に搬送し、収納する。
【００６１】
ＡＴＭ１は、当該金種の金種別カートリッジ２３〜２５に収納されている全ての紙幣を、運用カートリッジ２８に搬送し収納すると、今回運用カートリッジ２８に搬送し収納した紙幣を１枚ずつ繰り出し、該当する金種の金種別カートリッジ２３〜２５に戻す（ｓ４４）。運用カートリッジ２８から、金種別カートリッジ２３〜２５に戻す紙幣も、紙幣識別部３１で金種や真偽を識別し、識別できた紙幣のみを当該金種別カートリッジ２３〜２５に戻す。
【００６２】
ＡＴＭ１は、運用カートリッジ２８から金種別カートリッジ２３〜２５への紙幣の戻しが完了すると、一時保留部２２に紙幣を収納しているかどうかを判定する（ｓ４５）。ＡＴＭ１は、一時保留部２２に紙幣を収納していれば（ｓ４２で収納した紙幣があれば）、その紙幣を当該金種の金種別カートリッジ２３〜２５に戻す（ｓ４６）。このときも、紙幣識別部３１で金種や真偽を識別し、識別できた紙幣のみを当該金種別カートリッジ２３〜２５に戻す。また、ＡＴＭ１は、ｓ４６で一時保留部２２から金種別カートリッジ２３〜２５に戻した紙幣の枚数を計数している。
【００６３】
ＡＴＭ１は、ｓ４４で運用カートリッジ２８から金種別カートリッジ２３〜２５に戻した紙幣の枚数、および、ｓ４６で一時保留部２２から金種別カートリッジ２３〜２５に戻した紙幣の枚数の合計値を、該当する金種の計数枚数として、精査枚数記憶エリアに記憶する（ｓ４７）。
【００６４】
ＡＴＭ１は、ｓ２５の開始後に、利用者による出金取引の要求があると、割り込み処理を実行する。図１０、および図１１は、この割り込み処理を示すフローチャートである。ＡＴＭ１は、金種別カートリッジ２３〜２６、運用カートリッジ２８、または一時保留部２２から紙幣を繰り出しているかどうかを判定する（ｓ５１）。すなわち、上述したｓ４２、ｓ４３、ｓ４４、またはｓ４６のいずれかの処理途中であるかどうかを判定する。ＡＴＭ１は、紙幣の繰り出しを行っていれば、その処理を中断する（ｓ５２）。また、ＡＴＭ１は、紙幣搬送路３０上を搬送されている紙幣の有無を判定する（ｓ５３）。このとき、紙幣搬送路３０上を搬送されている紙幣は、この時点で枚数を計数している金種の紙幣である。ＡＴＭ１は、紙幣搬送路３０上を搬送されている紙幣があると、紙幣搬送路３０上の全ての紙幣を、この時点での搬送先に搬送し、収納する（ｓ５４）。このとき、ＡＴＭ１は、紙幣を計数している途中であれば、その時点において計数している枚数を一時記憶する。
【００６５】
ＡＴＭ１は、今回の出金取引で出金する紙幣の金種毎の枚数を確定する（ｓ５５）。ＡＴＭ１は、出金する紙幣の金種毎に、計数処理を開始していない金種であるかどうかを判定する（ｓ５６）。計数処理を開始していない金種であれば、当該金種の金種別カートリッジ２３〜２５から、出金する枚数の紙幣を繰り出し、紙幣入出金部２１に搬送し、収納する（ｓ５７）。また、計数処理を開始していても、この時点では、紙幣の枚数を実際に計数する前（上述したｓ４３以前）であれば（ｓ５８）、ｓ５６で金種別カートリッジ２３〜２５、運用カートリッジ２８、または一時保留部２２から、出金する枚数の紙幣を繰り出し、紙幣入出金部２１に搬送し、収納する（ｓ５９）。ｓ５８で紙幣を繰り出す収納部の優先順位は、計数処理おける処理時間の増加を抑えるために、金種別カートリッジ２３〜２５、運用カートリッジ２８、一時保留部２２の順とするのが好ましい。
【００６６】
また、ＡＴＭ１は、紙幣の枚数を実際に計数している途中の金種であれば（ｓ６０）、一時保留部２２から出金する枚数の紙幣を繰り出し（ｓ６１）、紙幣入出金部２１に搬送し、収納する。ここで、出金紙幣が、一時保留部２２に収納されている紙幣だけでは不足する場合、運用カートリッジ２８から不足している枚数の紙幣を繰り出し、紙幣入出金部２１に搬送し、収納する（ｓ６２、ｓ６３）。さらに、運用カートリッジ２８に収納されている紙幣を加えても不足していた場合、金種別カートリッジ２３〜２５から不足している枚数の紙幣を繰り出し、紙幣入出金部２１に搬送し、収納する（ｓ６４、ｓ６５）。ＡＴＭ１は、ｓ６５で金種別カートリッジ２３〜２５から紙幣を繰り出すと、精査枚数記憶エリアに記憶している該当する金種の紙幣の補正枚数を、今回ｓ６５で繰り出した枚数を加算した値に更新する（ｓ６６）。
【００６７】
また、ＡＴＭ１は、すでに計数処理を完了している紙幣であれば、ｓ６５以降の処理を行う。
【００６８】
ＡＴＭ１は、今回の出金取引が完了すると（ｓ６７）、この割込処理を終了する。ＡＴＭ１は、割込処理が終了すると、中断した計数処理を再開する。
【００６９】
なお、ＡＴＭ１は、紙幣の放出をともなわない、残高照会等の取引が要求されたときには、この割込処理を実行することはなく、実行中の計数処理も中断しない。
【００７０】
図７に戻り、ＡＴＭ１は、各金種についての計数処理を完了すると、取扱終了時刻になるのを待つ（ｓ２８）。この間も、利用者による出金取引の要求があると、上述した割り込み処理を実行する。ＡＴＭ１は、ｓ２８で取扱終了時刻になったと判定すると、本体における取引の取扱を停止する（ｓ２９）。そして、金種毎に収納枚数を確定する枚数確定処理を行う（ｓ３０）。ｓ３０では、金種毎に、精査枚数記憶エリアに記憶している計数枚数から、補正枚数を減算した枚数を確定枚数とする演算処理である。そして、金種毎の確定枚数、および回収カートリッジ２７に収納されている金種毎の紙幣の枚数（回収枚数記憶エリアの記憶内容）を、精査結果としてホスト装置２に通知する等の精査結果出力処理を行い（ｓ３１）、本処理を終了する。
【００７１】
このように、ＡＴＭ１は、本体に収納している紙幣を金種毎に計数する処理を、取扱終了時刻になった後に実行するのではなく、それ以前に実行しておき、取扱終了時刻における、金種毎の紙幣の枚数を簡単な演算処理で確定する。このため、取扱終了時刻から起動停止時刻までの間に、本体に収納している現金の有高を確認し、その結果をセンタのホスト装置２に通知できる。しかも、ＡＴＭ１、および管理装置３は、精査処理を実行する日であるかどうかにかかわらず、同じスケジュールデータで動作させることができる。
【００７２】
また、本体に収納している紙幣を金種毎に計数する処理を実行しているときも、取扱時間帯であれば、出金処理については、取扱を停止しない。
【００７３】
したがって、利用者に対するサービスの低下が抑えられるとともに、精査処理にかかる手間も抑えられる。
【００７４】
なお、精査処理の開始後の出金取引では、１千円紙幣を使用しない設定としてもよい。この場合、出金取引で使用する紙幣は、１万円紙幣のみになるので、一時保留部２２から金種別カートリッジ２３、２４に戻す処理（上述のｓ４６）にかかる処理を、取扱終了時刻になった時点で行うようにしてもよい。
【００７５】
また、この場合には、先に１千円紙幣、２千円紙幣、および５千円紙幣については、その枚数を計数しておけばよい。
【００７６】
また、ＡＴＭ１が、次回の精査処理を開始する日時を記憶するとしたが、ホスト装置２等から、精査処理の開始をＡＴＭ１に指示する構成としてもよい。
【符号の説明】
【００７７】
１…ＡＴＭ
２…主制御部
３…管理装置
４…ブレーカ
１０…主制御部
１１…操作部
１２…紙幣処理部
１３…硬貨処理部
１４…明細書処理部
１５…通帳処理部
１６…生体情報読取部
１７…音声案内部
１８…通信部
１９…顧客検知部
２１…紙幣入出金部
２２…一時保留部
２３〜２６…金種別カートリッジ
２７…回収カートリッジ
２８…運用カートリッジ
３０…紙幣搬送路
３１…紙幣識別部
【図１】
0005528059.tif 000002
【図２】
0005528059.tif 000003
【図３】
0005528059.tif 000004
【図４】
0005528059.tif 000005
【図５】
0005528059.tif 000006
【図６】
0005528059.tif 000007
【図７】
0005528059.tif 000008
【図８】
0005528059.tif 000009
【図９】
0005528059.tif 000010
【図１０】
0005528059.tif 000011
【図１１】
0005528059.tif 000012